(57)【要約】      （修正有）【課題】バレル上に回転要素を備えているシリンジを提供する。【解決手段】シリンジは、バレル２０と、例えばバレル２０の長さに沿った近位位置のバレル上の回転可能要素４０’’’とを備えている。回転可能要素４０’’’はバレル２０の周りの少なくとも一部で回転する。ハンドル８０が回転可能要素４０’’’に付随された場合に、ハンドル８０が実質的に静止状態に保持されるか、あるいはバレルと周辺装置が実質的に静止状態のまま残るように固定されながらハンドルが回転した場合に、バレル２０は回転する。ハンドル８０がバレル２０から取り外せる回転可能要素４０’’’に付随している場合、回転可能要素４０’’’から取り外せないバレル２０が同じかあるいは異なる構成の他のバレルに置き換えられる。バレル２０とプランジャは、プランジャがバレル２０の長さに沿って移動した場合にバレル２０を回転させるように構成されている。【選択図】図１１
2014210202.tif 000002
【特許請求の範囲】
【請求項１】
シリンジであって、
バレルと、
バレルに挿入可能なプランジャと、
バレルの周りに設けられて、バレルの円周に関して少なくとも部分的に回転するように構成された回転可能要素と、
吸引ハンドルとを備え、
吸引ハンドルはバレルを所定位置に保持するために回転可能要素に連結されると共に、吸引ハンドルの各部材が強制的に一緒にされた場合にバレルを通ってプランジャを近位に引くためにプランジャに連結されている、シリンジ。
【請求項２】
バレルは、回転可能要素の少なくとも一部と係合する溝を備えている、請求項１に記載のシリンジ。
【請求項３】
溝は、バレルの本体よりも小さな外形寸法の領域を有すると共に、本体と保持要素との間に位置している、請求項２に記載のシリンジ。
【請求項４】
保持要素は、バレルから回転可能要素を取り外すことができるように構成されている、請求項３に記載のシリンジ。
【請求項５】
保持要素は、ロック要素を係合するように構成されている、請求項３に記載のシリンジ。
【請求項６】
更に、回転可能要素に付随する少なくとも１つのハンドルを備える、請求項１に記載のシリンジ。
【請求項７】
少なくとも１つのハンドルは、回転可能要素と一体になっている、制御シリンジの指入れループを備えている、請求項６に記載のシリンジ。
【請求項８】
軸方向に整列された一対のヒンジ要素が回転可能要素から突出している、請求項６に記載のシリンジ。
【請求項９】
更に、回動可能に接続された一対の部材を含むシリンジ作動ハンドルを備え、回動可能に接続された一対の部材の一方の部材はヒンジ要素に対して回動可能に接続されている、請求項８に記載のシリンジ。
【請求項１０】
バレルとプランジャとは協働回転要素を備えており、それは、吸引ハンドルの部材が強制的に一緒にされた場合に、バレルを回転可能要素、プランジャおよび吸引ハンドルに対して回転させる、請求項１に記載のシリンジ。
【請求項１１】
協働回転要素は、バレルの内面に担持された少なくとも１つの細長い螺旋状に向けられた要素と、
少なくとも１つの細長い螺旋状に向けられた要素に係合するためのバレル上の対応する少なくとも１つの機能部と、を備えている、請求項１０に記載のシリンジ。
【請求項１２】
少なくとも１つの細長い螺旋状に向けられた要素は、バレルの内面から突出するネジと、プランジャのアライメント機能部に形成され且つネジを受け入れるように構成された切欠きを備える少なくとも１つの対応する機能部と、を備えている、請求項１１に記載のシリンジ。
【請求項１３】
バレルの内面から突出する一対の細長い螺旋状に向けられたネジと、アライメント機能部に形成された一対の切欠きと、を備える、請求項１２に記載のシリンジ。
【請求項１４】
シリンジを使用する方法であって、
ハンドルとバレルを互いに対して回転させることができる、バレル上の回転要素に付随するハンドルを握り、
バレルに周辺装置を剛直に固定し、
ハンドルに連結されたプランジャを、バレルのレセプタクルを通して近位に引くためにハンドルの部材を強制的に一緒にすることを含む、方法。
【請求項１５】
更に、周辺装置の遠位端部が対象物のからだの中に存在しながら、バレルあるいは周辺装置が回転することなく、ハンドルを回転させることを含む、請求項１４に記載の方法。
【請求項１６】
剛直な固定は、周辺装置の遠位端部が対象物のからだの中に存在する場合に、バレルに対して周辺装置を剛直に固定することである、請求項１４に記載の方法。
【請求項１７】
剛直な固定は、ハンドルを実質的に動かすことなくバレルを回転させることである、請求項１４に記載の方法。
【請求項１８】
レセプタクルを通してプランジャを引くためにハンドルの部材を強制的に一緒にすることで、バレルを回転させる、請求項１４に記載の方法。
【請求項１９】
バレルに対して周辺装置を剛直に固定することは、バレルに対して生検針を剛直に固定することを含み、ハンドルの部材を強制的に一緒にすることは、生検針での試料のコアリングと少なくとも生検針への試料の吸引を容易にする、請求項１８に記載の方法。
【請求項２０】
バレルに対して周辺装置を剛直に固定することは、バレルに対してカテーテルを剛直に固定することを含み、ハンドルの部材を強制的に一緒にすることは、カテーテルの長さに沿って延びる軸線に関してカテーテルを回転させ、バレルへ試料を吸引させる、請求項１８に記載の方法。
【発明の詳細な説明】
【技術分野】
【０００１】
本発明は概してシリンジに係り、特に、そのバレルにおいて円周方向に回転可能な要素を持つシリンジに関する。また、本発明は、回転可能要素を持つ吸引シリンジを備えるシステム並びにそのようなシステムのシリンジを用いるための方法に関する。
【背景技術】
【０００２】
本願は、２００７年１０月２３日出願の米国特許出願番号１１／８７７，５６４の出願日の利益を主張し、その開示内容は参考としてここに全体として組み入れられている。
【発明の概要】
【発明が解決しようとする課題】
【０００３】
本発明は概してシリンジに係り、特に、そのバレルにおいて円周方向に回転可能な要素を持つシリンジに関する。また、本発明は、回転可能要素を持つ吸引シリンジを備えるシステム並びにそのようなシステムのシリンジを用いるための方法に関する。
【課題を解決するための手段】
【０００４】
一つの特徴において、本発明は、回転可能要素あるいはスリップリングを持つシリンジを備えている。そのようなシリンジの実施形態では、シリンジバレルの部分に関して同心状に配置されるリングあるいは他の回転可能要素を持つシリンジバレルを備えている。一例として、回転可能要素はシリンジバレルの近位端部あるいはその近傍（すなわち、プランジャが導入される端部）に配置される。回転可能要素はシリンジバレルに対して回転するように構成されている。いくつかの実施形態において、回転可能要素の少なくとも一部は、シリンジバレルの部分の周りで円周方向に延びる溝内に保持される。他の実施形態においては、シリンジの筒から円周方向に突出する（例えば、リップ、一連の整列された突起など）一またはそれ以上の機能部が、回転可能要素の内面に形成される溝に係合する。
【０００５】
本願発明の他の実施形態によれば、スリップリングを有するシリンジバレルは、吸入シリンジ（例えば、てこ式や、そうでなければ機械的利得を提供するハンドルを持つシリンジ）のような、より複雑なシリンジの部品として使用される。そのようなシリンジにおいて、回転可能要素はハンドルに固定され、それは典型的にはシリンジの使用中に保持され、シリンジのバレルはハンドルが保持される向きに対して自由に回転する。
【０００６】
更なる特徴点としては、本発明の吸引システムは、回転可能要素、吸引ハンドル、およびシリンジバレルの遠位端に固定されるカテーテル、針、などの吸引要素を備えているシリンジを含んでいる。使用時に、シリンジバレルは、このシリンジに固定されているハンドルに対して回転し（例えば、カテーテルや針のような周辺器機へのシリンジバレルの結合時）、あるいはハンドルがシリンジバレルに対して回転する（例えば、シリンジバレルが周辺機器に結合された状態でのシリンジの使用時に）。そのような特徴により、シリンジバレルと吸引要素との間の高価な回転接続部の必要性を解消する。
【０００７】
そのようなシリンジのいくつかの実施形態では、一般的に構成されたシリンジバレルとプランジャを備えているが、本願発明に係るシリンジの他の実施形態では、シリンジバレルを通ってそれらの対応するプランジャが引かれた場合に回転するように構成されたシリンジバレルを備えている。そのような回転するシリンジを備える実施形態は、限定されるものではないが、生検やコアリング(coring)技術を含む様々な用法で使用でき、それは試料の吸引に先立ってあるいは吸引中などの障害物の除去及び／又は流体の混合のためにカ
テーテルを回転させるためである。
【０００８】
上記実施形態のそれぞれにおいて、シリンジのバレルと、シリンジバレルに結合された随意的な吸引要素は、回転可能要素に固定されたハンドルに対して自由に回転する。而して、シリンジバレルはハンドルがシリンジバレルの軸線に対して回転方向に移動した場合でも静止したままかあるいは実質的に静止しており、あるいはハンドルはシリンジバレルが回転した場合でも静止したままかあるいは実質的に静止している。
【０００９】
本願発明の他の特徴点や利点は、あとに続く詳細な説明、添付図面および書かれた請求項を考察することを通して当業者に明らかになるであろう。
【図面の簡単な説明】
【００１０】
【図１】シリンジバレルの部分の周りの回転可能要素を備える、本願発明に係るシリンジの実施形態の斜視図である。
【図２】図１に開示したシリンジの実施形態の側面組立図である。
【図３】図１に開示したシリンジの実施形態の斜視組立図である。
【図４】本願発明の開示内容を取り入れたシリンジの他の実施形態の側面図である。
【図５】回転可能要素を保持するための円周方向に突出しているガイドを備えたシリンジの実施形態の斜視図である。
【図６】回転可能要素上に制御シリンジフィンガーリングを備えたバレルの実施形態の斜視図である。
【図７】回転可能要素から突出するヒンジ要素を備えるバレルの実施形態の平面図である。
【図８】図７に開示されたヒンジ要素に連結されたプライヤグリップハンドル部材を備えるシリンジの側面図である。
【図９】ハンドルのさまざまな実施形態との使用のために構成されたさまざまな異なるバレル構成や回転可能要素を備えるシステムの概略図である。
【図１０】本発明のシリンジの実施形態の斜視図であり、そのシリンジの筒はシリンジのプランジャがバレルの長さ方向に沿って移動した場合に回転するものである。
【図１１】バレルの周りの回転可能要素とバレルの遠位端に固定された吸引要素を備えるシリンジを含むシステムの概略図である。
【発明を実施するための形態】
【００１１】
図面には、本願発明の様々な側面の特徴点が示されている。
図１〜３を参照すると、バレル２０とバレル２０の外周面に関して旋回する回転可能要素４０を備えるシリンジ１０の実施形態が示されている。バレル２０は、バレル２０を通って軸方向に延びるレセプタクル２４を画定する外側壁２２を備えている。
【００１２】
中心部を含むバレル２０の本体３０は、実質的に均一な外径ＯＤ３０を有している。その遠位先端部２６において、外側壁２２は小さな外径のテーパーとなっており、そこが標準的な連結要素２８を形成し、そこに吸引針（例えば、皮下注射針、生検針など）、カテーテルなどが連結される。バレル２０の近位端部３２もまた実質的に均一な外径ＯＤ３２を備えているが、図示のようにＯＤ３２は本体３０の外径ＯＤ３０よりも小さくなっており、これにより本体３０と近位端部３２の間の境界に近位縁部３４が形成される。
【００１３】
例示された実施形態において、近位端部３２は、実質的に平滑な表面を有する遠位に位置するアクスル３６と、近位に位置する保持機能部３８とを備えている。図示のように、保持機能部３８は、別個のロック要素５０を受け入れて、係合しそして保持するように構成されたネジやその他の同様な係合機能を備えており、その例は以下に更に詳しく説明する。
【００１４】
環状の形状（即ち、リング状）を有する回転可能要素４０は、バレル２０の近位端部３２の外径ＯＤ３２よりもわずかに大きいがバレル２０の本体３０の外径ＯＤ３０よりも小さい 、実質的に一定の内径ＩＤ４０を有し、回転可能要素４０が近位端部３２上に同軸
に配置されるのを可能にする。より詳しくは、回転可能要素４０は縁部３４に隣接してアクスル３６上に位置決めされる。回転可能要素４０の内面４２は、実質的に平滑である。内側表面４２およびアクスル３６の何れかあるいは両方が平滑であると、少なくとも部分的にアクスル３６の周りで回転可能要素４０が自由に回転するのを促す。
【００１５】
上記したように、シリンジ１０はロック要素５０を備えてもよい。ロック要素５０は、バレル２０の近位端部３２において保持機能部３８の相補的な係合機能部と協働する係合機能部５４（例えば、例示したネジなど）を有する内側表面５２を備えている。ロック要素５０が保持機能部３８上に配置された場合、アクスル３６の外側表面はバレル２０の本体３０の外側表面に対して円周方向に凹んでおり、ロック要素５０、すなわち、円周方向溝５６（図７）が本体３０とロック要素５０との間に形成される。結果として得られる溝５６の寸法（例えば、深さ）は、回転可能要素４０をアクスル３６上において軸方向に保持する。
【００１６】
シリンジ１０の筒２０の保持機能部３８と組み立てられるために構成されたロック要素５０を備える実施形態の代替実施形態として、図４に示すような保持機能部３８’を備える筒２０’の他の実施形態は、回転可能要素４０’とバレル２０’との組み立てを容易にするが、バレル２０’からの外れを防ぐ。例えば、保持機能部３８’は、アクスル３６上への回転可能要素４０の配置を容易にするために構成されまた配向されたタブ３９’を備えているが、回転可能要素４０’がアクスル３６’から外れるのを防ぐ。より具体的な実施形態において、タブ３９’は保持機能部３８’の残りの外表面から若干突出するように向けられ構成されている。回転可能要素４０が保持機能部３８’に配置されてアクスル３６’へ遠位方向に滑った場合に、タブ３９’は半径方向内側に押され、回転可能要素４０がタブ３９’を超えてそしてのその上を滑るのを可能にする。一旦、回転可能要素４０がアクスル３６’上に適切に位置決めされると、タブ３９’は弾性的に緩んだ状態に戻り、その状態でタブ３９’は保持機能部３８’の残りの部分の面から半径方向に突出し、回転可能要素４０をアクスル３６’上の所定位置に保持する。
【００１７】
図５は、バレル１２０の他の実施形態を示しており、それは１つまたはそれ以上の突起１３６（例えば、単一のフィレット構造又は隆線、複数の整列された突起など）を備え、それはバレル１２０の一部分の周りで円周方向に延びている。バレル１２０と組立てるように構成されている回転可能要素１４０は、ほぼ環状の形状を有しており、突起１３６を受け入れるための溝１４２を備えている。溝１４２と突起は、少なくとも部分的にバレル１２０の周りで回転可能要素４０が回転できるように構成されている。突起１３６は、バレル１２０から回転可能要素４０が外れるのを防ぎながら、バレル１２０と回転可能要素１４０との組み立てを容易にするように構成されている。あるいは、回転可能要素１４０は突起１３６上への位置決めおよびこの突起による保持を容易にするように構成されている（例えば、適当に位置決めされたスロット、ヒンジあるいは固定要素など）。
【００１８】
図６を参照すると、本発明に係る制御シリンジ６０の実施形態は、バレル２０，２０’とハンドル６２を形成するために回転可能要素から突出する指入れループ６４を伴う回転可能要素４０''を備えている。バレル２０、２０’は特に、近位端部６９に親指ループ６８を伴うプランジャ６６と共に有用である。
【００１９】
回転可能要素の他の変形例４０'''が図７に示されている。回転可能要素４０'''は、図示されているヒンジ要素７０のような、ハンドルと連結される手段を備えている。図示さ
れているように、ヒンジ要素７０は、回転可能要素４０'''の両側から突出している。ヒ
ンジ要素７０の回転軸は、回転可能要素４０'''を通る中心軸線に整合されている。その
ような構造によって、回転可能要素４０'''がシリンジバレル２０、２０’の軸線３６（
図１から図４）上の所定位置に置かれた場合に、回転可能要素４０'''を通る中心軸は実
質的にバレル２０、２０’の長手方向を通る中心軸に整合されている。こうして、そのような構成において、ヒンジ要素７０の回転軸もまたバレル２０、２０’を通る中心軸線に交差する。
【００２０】
図７に示される変形例の回転可能要素４０'''のヒンジ要素７０は、図８に示されるよ
うなシリンジ作動ハンドル８０の部材８２と回転可能要素４０'''との回動な組み立てを
容易にする。シリンジ作動ハンドル８０の部材８２は、シリンジプランジャ８６へ連結される他の部材８４に回動自在に付随される。特に限定するものではないそのようなシリンジ作動ハンドルの例が、２００７年１０月２３日に出願された米国特許出願公開ＵＳ−２００７−０２６５５７３−Ａ１と米国特許出願番号１１・８７７，５２９に記載されている。
【００２１】
上記したように、いくつかの実施形態において、回転可能要素４０''、４０'''はバレ
ル２０（あるいは、バレル２０’や１２０のような他のバレルの実施形態）から取り外される（例えば、図１および３に示されている回転可能要素４０の実施形態参照。）。そのような実施形態において、一旦バレル２０が使用されると、それは回転可能要素４０''、４０'''から取り外されて、廃棄され、異なるバレル２０ａと交換される。而して、その
ような回転可能要素４０''、４０'''に付随しているハンドル（例えば、ハンドル６２（
図６）やハンドル８０（図８）参照。）は再使用され、それは、限定されるものではないが制御シリンジあるいは、てこ式シリンジを含む多くの形式のシリンジが使用された場合に一般的に負担となる経費を低減する。
【００２２】
バレルの取り替えを可能にすることによって、本願発明の回転可能要素（例えば、回転可能要素４０''、４０'''など）を再使用可能なハンドル（例えば、ハンドル６２、８０
など）と共に使用することは、図９に示されるような様々に異なる構成のシリンジバレル２０Ａ、２０Ｂ、２０Ｃ、２０Ｄ（それは例えば、バレル２０、２０’、１２０などのように構成されている）と共に使用されるモジュールシステムを提供する。単に例示する目的のために、複数の異なる容積のシリンジ、複数の異なる寸法のシリンジであって、複数の異なるオプション機能（例えば、オプション機能無し、開放弁、圧力ゲージやその他の装置に接続されるように構成されたポート、入口ポートなど）などが、再使用可能なハンドルと共に使用される。もちろん、同じ回転可能要素と共に使用するために構成された異なる構成のシリンジバレルは、回転可能要素による係合のために共通に寸法決めされた機能部を有するか、あるいは同じ回転可能要素とそれらを使用するのを容易にするアダプタとの組合せで使用される。
【００２３】
図１０に示されるように、本願発明の開示内容を組み合わせている回転可能要素４０、４０’、４０''、４０'''は、対応するプランジャ８６''がバレルから引かれた場合に回
転するように構成されているバレル２０''の実施形態とで特に役に立つ。そのようなバレル２０''とそれに対応するプランジャ８６''は、プランジャ８６''とバレル２０''のレセプタクル２４''に沿って軸線方向に移動した（すなわち、力で押し込まれるか引き出される）場合に、バレル２０''を回転させるような、協働する回転可能要素を含む。
【００２４】
具体的な実施形態において、そのようなバレル２０''の内面２３''は、１つまたはそれ以上の筋２７''（例示の実施形態では、２つの筋２７''が示されている）を備えている。筋２７''は細長く、螺旋状に向けられてプランジャ８６''の協働機能部に係合するかあるいはそれに係合されるように構成され、プランジャ８６''に対してバレル２０''に回転運
動を生じさせる曲がった要素である。より詳細な実施形態において、筋２７''は内面２３''からレセプタクル２４''へ突出している。
【００２５】
バレル２０''に対応するプランジャ８６''の実施形態は、対応する筋２７''を受け入れて協働する切り欠き８７''を備えている。より具体的な実施形態において、それぞれの切り欠き８７''はプランジャ８６''のアライメント機能部８８''に形成される。より詳しくは、各切り欠き８７''はプランジャ８６''のアライメント機能部８８''（アライメントディスクとして例示されている）の縁部８９''に形成されている。図示されているように、アライメントディスク８８''は、プランジャ８６''の近位端部（すなわち、バレル２０''とプランジャ８６''を備えるシリンジを操作する個人に最も近くに位置している端部）に位置している。アライメントディスク８８''の縁部８９''は、プランジャ８６''がレセプタクル２４''を通ってバレル２０''の長さに沿って力が加えられた場合に、バレル２０''のレセプタクル２４''にプランジャ８６''を整合するために、バレル２０''の内面２３''に対して面している。プランジャ８６''がバレル２０''のレセプタクル２４''に挿入されてバレル２０''の長さに沿って軸線方向に駆動された場合に、各切り欠き８７''対応する筋２７''に係合し続ける。筋２７''が螺旋方向に向けられていることから、バレル２０''長さに沿ったプランジャ８６''の移動は、プランジャ８６''がレセプタクル２４''を通るように（すなわち、押し込まれるかあるいは引き出される）力が加えられた場合に、バレル２０''をプランジャ８６''に対して回転させる。図示して実施形態において、プランジャ８６''がレセプタクル２４''を出る動き（すなわち、バレル２０''とプランジャ８６''を備えるシリンジを使用する個人に向かって近づく）は、ハンドル８０の各部材８２、８４に共に力が加えられた場合に有効となる。
【００２６】
回転可能要素とプランジャ８６''に対して回転するバレル２０''を備えるシリンジの実施形態は、限定するものではないが、試料（たとえば、生化学的試料、対象物の身体からの試料など）が採取される方法を含む様々な手法に使用される。
【００２７】
生検の実施形態において、生検針はバレル２０''に剛直に固定されている。バレル２０''の長さに沿ったプランジャ８６''の動きは、バレル２０''と生検針をその長さ方向に沿って延びる軸に関して回転させ、手動で試料を採取するためのコアリングおよび吸引技術において生検針の使用を可能にする。本願発明の開示内容を組み込んでいる携帯型のシリンジは１つの手であっても手動で前進し操作され、操作者の他の手を、限定するものではないが患者の安定化、超音波装置などのような画像装置の制御を含む様々な目的のために自由にする。
【００２８】
対応するプランジャ８６''がその長さ方向に沿って駆動された場合に回転するバレル２０''に剛直にカテーテルが連結された実施形態において、プランジャ８６''の作動により、カテーテルをその長さ方向に沿って延びる軸線に関して回転させ、それは閉塞物を破壊し、あるいは滞留を防止し、血塊即ち血栓を取り除き、あるいは吸引に先立ってあるいは吸引中に流体を混合するのに役立つ。
【００２９】
図１１を参照すると、本願発明の開示内容を組み込んでいる回転可能要素（例えば、回転可能要素４０，４０''，４０'など）の使用は、シリンジハンドル（例えば、ハンドル
６２、ハンドル８０など）の何らかの動きを可能にすると同時に、バレル（例えば、バレル２０、２０'など）とカテーテルや針のような遠位に位置する周辺装置９０を実質的に
静止状態のままにする。而して、本願発明に係るシリンジは、スリップリングルアーロックのような比較的複雑で高価な回転固定部や連結要素の必要性をなくす。
【００３０】
バレルに対するハンドル（例えば、ハンドル６２、８０など）の回転運動の間のような、バレル（例えば、バレル２０あるいは２０’）に関して回転できることに加えて、本願
発明の開示内容を具備する回転可能要素（例えば、回転可能要素４０、４０''、４０'''
など）は、バレルが回転可能要素として回転するのを可能とし、而して回転可能要素に付随するハンドル（例えば、ハンドル６２、８０などによって）が静止位置かあるいはやや静止した位置（医療従事者がハンドルを操作することによる通常の動きに相当する）に保持される。この特徴点は、本願発明のシリンジを既に対象物の本体に配置された、遠位配置された周辺装置に連結するために役立つ。
【００３１】
以上の説明は多くの具体例を含んでいるが、これらは本願発明の技術的範囲を制限するものと見なされるべきではなく、単に本願の好ましい実施形態のいくつかの例示を提供するものである。同様に、本願発明の他の実施形態は、本願発明の思想や範囲から離れること無く発明されたものである。他の実施形態から得られる特徴点は、その組合せにおいて採用される。従って、本願発明の権利範囲は、上記説明によるよりもむしろ、添付したクレームによってのみ表示され制限され、法的に均等なものまでである。発明の意味や権利範囲内に収まるような、ここに開示された本願発明に対する全ての追加、削除や改変は包含される。
【図１】
2014210202.tif 000003
【図２】
2014210202.tif 000004
【図３】
2014210202.tif 000005
【図４】
2014210202.tif 000006
【図５】
2014210202.tif 000007
【図６】
2014210202.tif 000008
【図７】
2014210202.tif 000009
【図８】
2014210202.tif 000010
【図９】
2014210202.tif 000011
【図１０】
2014210202.tif 000012
【図１１】
2014210202.tif 000013
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
シリンジであって、
バレルであって、前記バレルの近位端部又は近位端部の近傍において前記バレルの円周部分から延びるアクスルを備える、バレルと、
前記バレルに挿入可能なプランジャと、
前記バレルの前記アクスルの周りに設けられて、前記バレルの長手方向に向かう軸および前記バレルの前記アクスルの周りに前記バレルの前記アクスルに対して同心状に回転するように構成された回転可能要素と、
前記バレルの長さ方向の前記アクスル上の所定位置に前記回転可能要素を保持する、少なくとも１つの保持要素と、
少なくとも１つのハンドルと、を備え、
前記少なくとも１つのハンドルは、前記少なくとも１つのハンドル又は前記バレルの少なくとも部分的な回転を可能にすると共に前記バレルを長手方向の所定位置に保持するために前記回転可能要素に連結され、前記バレルを通って前記プランジャを移動させるように構成されている、シリンジ。
【請求項２】
前記バレルの前記アクスルは、前記回転可能要素の少なくとも一部を受け入れる円周方向の凹みを備えている、請求項１に記載のシリンジ。
【請求項３】
前記円周方向の凹みは、前記バレルの本体の外径よりも小さな外径の領域を有すると共に、前記本体と前記保持要素との間に位置している、請求項２に記載のシリンジ。
【請求項４】
前記保持要素は、前記バレルの前記アクスルから前記回転可能要素を取り外すことができるように構成されている、請求項３に記載のシリンジ。
【請求項５】
前記保持要素は、前記バレルの外側表面にロック要素を係合するように構成されている、請求項３に記載のシリンジ。
【請求項６】
前記少なくとも１つのハンドルは、前記回転可能要素に連結される第１の部材と、前記プランジャに連結される第２の部材と、を備え、前記第１の部材と前記第２の部材は、前記第１の部材と前記第２の部材のグリップ部分が近づくような力が加えられると前記バレルを通って前記プランジャが近位に引かれるように、互いに付随する、請求項１に記載のシリンジ。
【請求項７】
一対のヒンジ要素が前記回転可能要素の両側から突出している、請求項６に記載のシリンジ。
【請求項８】
更に、回動可能に接続された一対の部材を含むシリンジ作動ハンドルを備え、前記回動可能に接続された一対の部材の一方の部材は前記一対のヒンジ要素に対して回動可能に接続されている、請求項７に記載のシリンジ。
【請求項９】
前記バレルと前記プランジャとは協働回転要素を備えており、それは、前記少なくとも１つのハンドルの前記第１および前記第２の部材のグリップ部分が強制的に一緒にされた場合に、前記バレルを前記回転可能要素、前記プランジャおよび前記少なくとも１つのハンドルに対して回転させる、請求項６に記載のシリンジ。
【請求項１０】
前記協働回転要素は、前記バレルの内面に担持された少なくとも１つの細長い螺旋状に向けられた要素と、
前記少なくとも１つの細長い螺旋状に向けられた要素に係合するためのバレル上の対応する少なくとも１つの機能部と、を備えている、請求項９に記載のシリンジ。
【請求項１１】
前記少なくとも１つの細長い螺旋状に向けられた要素は、前記バレルの内面から突出するネジを備え、前記少なくとも１つの機能部は、前記プランジャのアライメント機能部に形成され且つ前記ネジを受け入れるように構成された切欠きを備える、請求項１０に記載のシリンジ。
【請求項１２】
前記バレルの内面から突出する一対の細長い螺旋状に向けられたネジと、前記アライメント機能部に形成された一対の切欠きと、を備える、請求項１１に記載のシリンジ。
【請求項１３】
前記少なくとも１つのハンドルは、前記回転可能要素と一体になっている、制御シリンジの指入れループを備えている、請求項１に記載のシリンジ。
【請求項１４】
前記回転可能要素は、前記バレルの前記アクスルの周りを自由に回転する、請求項１に記載のシリンジ。
【手続補正２】
【補正対象書類名】明細書
【補正対象項目名】００３１
【補正方法】変更
【補正の内容】
【００３１】
以上の説明は多くの具体例を含んでいるが、これらは本願発明の技術的範囲を制限するものと見なされるべきではなく、単に本願の好ましい実施形態のいくつかの例示を提供するものである。同様に、本願発明の他の実施形態は、本願発明の思想や範囲から離れること無く発明されたものである。他の実施形態から得られる特徴点は、その組合せにおいて採用される。従って、本願発明の権利範囲は、上記説明によるよりもむしろ、添付したクレームによってのみ表示され制限され、法的に均等なものまでである。発明の意味や権利範囲内に収まるような、ここに開示された本願発明に対する全ての追加、削除や改変は包含される。（付記１）シリンジであって、バレルと、バレルに挿入可能なプランジャと、バレルの周りに設けられて、バレルの円周に関して少なくとも部分的に回転するように構成された回転可能要素と、吸引ハンドルとを備え、吸引ハンドルはバレルを所定位置に保持するために回転可能要素に連結されると共に、吸引ハンドルの各部材が強制的に一緒にされた場合にバレルを通ってプランジャを近位に引くためにプランジャに連結されている、シリンジ。（付記２）バレルは、回転可能要素の少なくとも一部と係合する溝を備えている、付記１に記載のシリンジ。（付記３）溝は、バレルの本体よりも小さな外形寸法の領域を有すると共に、本体と保持要素との間に位置している、付記２に記載のシリンジ。（付記４）保持要素は、バレルから回転可能要素を取り外すことができるように構成されている、付記３に記載のシリンジ。（付記５）保持要素は、ロック要素を係合するように構成されている、付記３に記載のシリンジ。（付記６）更に、回転可能要素に付随する少なくとも１つのハンドルを備える、付記１に記載のシリンジ。（付記７）少なくとも１つのハンドルは、回転可能要素と一体になっている、制御シリンジの指入れループを備えている、付記６に記載のシリンジ。（付記８）軸方向に整列された一対のヒンジ要素が回転可能要素から突出している、付記６に記載のシリンジ。（付記９）更に、回動可能に接続された一対の部材を含むシリンジ作動ハンドルを備え、回動可能に接続された一対の部材の一方の部材はヒンジ要素に対して回動可能に接続されている、付記８に記載のシリンジ。（付記１０）バレルとプランジャとは協働回転要素を備えており、それは、吸引ハンドルの部材が強制的に一緒にされた場合に、バレルを回転可能要素、プランジャおよび吸引ハンドルに対して回転させる、付記１に記載のシリンジ。（付記１１）協働回転要素は、バレルの内面に担持された少なくとも１つの細長い螺旋状に向けられた要素と、少なくとも１つの細長い螺旋状に向けられた要素に係合するためのバレル上の対応する少なくとも１つの機能部と、を備えている、付記１０に記載のシリンジ。（付記１２）少なくとも１つの細長い螺旋状に向けられた要素は、バレルの内面から突出するネジと、プランジャのアライメント機能部に形成され且つネジを受け入れるように構成された切欠きを備える少なくとも１つの対応する機能部と、を備えている、付記１１に記載のシリンジ。（付記１３）バレルの内面から突出する一対の細長い螺旋状に向けられたネジと、アライメント機能部に形成された一対の切欠きと、を備える、付記１２に記載のシリンジ。（付記１４）シリンジを使用する方法であって、ハンドルとバレルを互いに対して回転させることができる、バレル上の回転要素に付随するハンドルを握り、バレルに周辺装置を剛直に固定し、ハンドルに連結されたプランジャを、バレルのレセプタクルを通して近位に引くためにハンドルの部材を強制的に一緒にすることを含む、方法。（付記１５）更に、周辺装置の遠位端部が対象物のからだの中に存在しながら、バレルあるいは周辺装置が回転することなく、ハンドルを回転させることを含む、付記１４に記載の方法。（付記１６）剛直な固定は、周辺装置の遠位端部が対象物のからだの中に存在する場合に、バレルに対して周辺装置を剛直に固定することである、付記１４に記載の方法。（付記１７）剛直な固定は、ハンドルを実質的に動かすことなくバレルを回転させることである、付記１４に記載の方法。（付記１８）レセプタクルを通してプランジャを引くためにハンドルの部材を強制的に一緒にすることで、バレルを回転させる、付記１４に記載の方法。（付記１９）バレルに対して周辺装置を剛直に固定することは、バレルに対して生検針を剛直に固定することを含み、ハンドルの部材を強制的に一緒にすることは、生検針での試料のコアリングと少なくとも生検針への試料の吸引を容易にする、付記１８に記載の方法。（付記２０）バレルに対して周辺装置を剛直に固定することは、バレルに対してカテーテルを剛直に固定することを含み、ハンドルの部材を強制的に一緒にすることは、カテーテルの長さに沿って延びる軸線に関してカテーテルを回転させ、バレルへ試料を吸引させる、付記１８に記載の方法。
【外国語明細書】
2014210202000001.pdf